(57)【要約】【課題】  省スペースを図ることができる放射性物質の貯蔵室を提供する。【解決手段】  リフト２５に載荷されたバスケット１は、搬送台車２２がＹレール２０上を移動することで、所望の貯蔵空間１５の前面に水平移動され、移動台車２４がレール２６、レール２７を移動することで、所望の貯蔵空間１５に移動され、リフト２５がリフトダウンすることで、所望の貯蔵空間１５の支持台１８に設置されると共に固定される。【選択図】  図５
2006220484.tif 000002
【特許請求の範囲】
【請求項１】
固定時に支持される被支持機能を有し、放射性物質を収容するバスケットと、
前記バスケットが水平移動される少なくとも１つの通路と、
前記通路に沿って複数設けられ、前記バスケットの前記被支持機能を支持する水平支持機能により、前記バスケットを貯蔵する貯蔵空間と、
前記通路を水平移動すると共に、前記バスケットを鉛直方向に移動させるリフト機能を有する移動装置とを備え、
前記移動装置により、前記バスケットは、所望の前記貯蔵空間に水平移動され、前記リフト機能が鉛直下方に移動することで、所望の前記貯蔵位置に支持、固定されることを特徴とする放射性物質の貯蔵室。
【請求項２】
請求項１に記載の放射性物質の貯蔵室において、
前記移動装置を、前記通路の床面に設置された少なくとも１対の第１レールと、前記第１レール上を水平移動すると共に、上面に前記第１レールとは垂直な１対の第２レールを有する第１台車と、前記第２レール上を水平移動すると共に、前記バスケットが載荷され、かつ、前記バスケットを鉛直方向に移動させるリフト機能を有する第２台車とで構成し、
前記貯蔵空間を、前記第１レールに沿って複数設けると共に、前記バスケットの前記被支持機能を支持する水平支持機能と、前記第２レールと同じ方向、同じ高さに設けられた一対の第３レールと、前記第３レールの外側に設けられ、前記バスケットの底部を前記第３レールより高い位置で支持する垂直支持機能とにより構成することにより、
前記リフト機能に載荷された前記バスケットは、前記第１台車が前記第１レール上を移動することで、所望の前記貯蔵空間の前面に水平移動され、前記第２台車が前記第２レール上、前記第３レール上を移動することで、所望の前記貯蔵空間に移動され、前記リフト機能が鉛直下方に移動することで、所望の前記貯蔵空間の前記水平支持機能及び前記垂直支持機能に支持されて、所望の前記貯蔵位置に固定されることを特徴とする放射性物質の貯蔵室。
【請求項３】
請求項１又は請求項２に記載の放射性物質の貯蔵室において、
前記バスケットに、前記貯蔵空間への案内に用いられる被案内機能を設けると共に、
前記貯蔵空間に、前記バスケットの前記被案内機能を案内する案内機能を設けたことを特徴とする放射性物質の貯蔵室。
【請求項４】
請求項１乃至請求項３のいずれかに記載の放射性物質の貯蔵室において、
前記バスケットは、複数の放射性物質を収納すると共に、相対する一方の外面に前記被案内機能を有し、相対する他方の外面に前記被支持機能を有するものであることを特徴とする放射性物質の貯蔵室。
【請求項５】
請求項１乃至請求項４のいずれかに記載の放射性物質の貯蔵室において、
前記被支持機能及び前記水平支持機能を、挿入孔及びガイドピンからなる支持構造としたことを特徴とする放射性物質の貯蔵室。
【請求項６】
放射性物質を収容するバスケットと、
前記バスケットを上面に載荷する載荷台と、
複数の前記載荷台を、その上面で水平移動させる少なくとも１つのコンベアとを備え、
前記バスケットは、前記コンベア上で水平移動されると共に、貯蔵されることを特徴とする放射性物質の貯蔵室。
【請求項７】
請求項６に記載の放射性物質の貯蔵室において、
前記バスケットは、水平方向に案内される複数の第１被案内機能を上部に有し、
前記載荷台は、所定長さを有する複数のストッパ機能と、水平方向に案内される複数の第２被案内機能とを有し、
前記コンベアに相対する天井部分に、前記コンベアの設置方向に沿って配設され、前記バスケットの前記複数の第１被案内機能を案内する第１案内機能と、
前記コンベアの近傍に、前記コンベアの設置方向に沿って配設され、前記載荷台の前記複数の第２被案内機能を案内する第２案内機能とを設け、
前記バスケットは、前記バスケットが前記第１案内機能に案内され、かつ、前記バスケットを載荷する前記載荷台が第２案内機能に案内されて、転倒することなく水平移動されると共に、隣り合うバスケットとの距離が、前記載荷台の前記ストッパ機能により所定間隔に保たれて、貯蔵されることを特徴とする放射性物質の貯蔵室。
【請求項８】
請求項６又は請求項７に記載の放射性物質の貯蔵室において、
前記バスケットを、複数の放射性物質を収納する直方体状の箱型とし、
前記載荷台を、直方体形状としたことを特徴とする放射性物質の貯蔵室。
【請求項９】
請求項８に記載の放射性物質の貯蔵室において、
前記第１被案内機能は、各外面の上方に垂直に立設された少なくとも２つの第１ガイドローラと、回転面が各外面に平行になるように、各外面の上方に設けられた少なくとも２つの第２ガイドローラとからなり、
前記第１案内機能は、前記第１ガイドローラが水平方向から接すると共に、前記第２ガイドローラが垂直方向から接する一対の第１案内レールからなることを特徴とする放射性物質の貯蔵室。
【請求項１０】
請求項８又は請求項９に記載の放射性物質の貯蔵室において、
前記第２被案内機能は、各外面に垂直に立設された少なくとも２つの第３ガイドローラからなり、
前記第２案内機能は、前記第３ガイドローラが水平方向から接する一対の第２案内レールからなることを特徴とする放射性物質の貯蔵室。
【請求項１１】
請求項６乃至請求項１０のいずれかに記載の放射性物質の貯蔵室において、
前記ストッパ機能を、各外面に垂直に立設された棒状部材としたことを特徴とする放射性物質の貯蔵室。
【請求項１２】
請求項６乃至請求項１１のいずれかに記載の放射性物質の貯蔵室において、
前記コンベアを、ループ状又は直線状としたことを特徴とする放射性物質の貯蔵室。
【発明の詳細な説明】
【技術分野】
【０００１】
本発明は、放射性物質の貯蔵室に関する。
【背景技術】
【０００２】
従来、放射性物質の１つである燃料集合体の貯蔵室では垂直装荷方式が用いられており、厚いコンクリート製の壁面に囲まれ、鉛直方向に形成された長い貯蔵ピットの内部に、上方側から燃料集合体を１体ずつ挿入するようにしていた。具体的には、貯蔵ピットへの燃料集合体の収納、貯蔵ピットからの燃料集合体の取り出しの際には、燃料集合体を鉛直方向に移動させるクレーンを用いていた。
【０００３】
【特許文献１】特開平７−２１５６６４号公報
【特許文献２】特開平１０−２４６７９６号公報
【発明の開示】
【発明が解決しようとする課題】
【０００４】
従来の燃料集合体の貯蔵室においては、燃料集合体を鉛直方向に移動させるクレーンを用いて、燃料集合体の収納、取り出しを行なっていたため、少なくとも、燃料集合体の長さ以上の高さを、貯蔵ピットの上方に確保する必要があり、貯蔵ピットの上方に、かなり大きな空間が必要であった。
【０００５】
又、貯蔵ピット自体は正方形断面の直方体形状に形成されているが、貯蔵ピットの挿入口は、段差付きの円柱形状プラグにより、封鎖され、放射線の漏れを防ぐ構造であり、貯蔵ピットの挿入口を封鎖するプラグは、貯蔵ピット自体の必要面積に比較して、かなり広い面積を必要としていた。そのため、貯蔵ピットの設置密度を高くすることが難しく、燃料集合体の貯蔵室の空間を必要以上に大きなものとしていた。
【０００６】
本発明は上記課題に鑑みなされたもので、省スペースを図ることができる放射性物質の貯蔵室を提供することを目的とする。
【課題を解決するための手段】
【０００７】
上記課題を解決する第１の発明に係る放射性物質の貯蔵室は、
固定時に支持される被支持機能を有し、放射性物質を収容するバスケットと、
前記バスケットが水平移動される少なくとも１つの通路と、
前記通路に沿って複数設けられ、前記バスケットの前記被支持機能を支持する水平支持機能により、前記バスケットを貯蔵する貯蔵空間と、
前記通路を水平移動すると共に、前記バスケットを鉛直方向に移動させるリフト機能を有する移動装置とを備え、
前記移動装置により、前記バスケットは、所望の前記貯蔵空間に水平移動され、前記リフト機能が鉛直下方に移動することで、所望の前記貯蔵位置に支持、固定されることを特徴とする。
【０００８】
上記課題を解決する第２の発明に係る放射性物質の貯蔵室は、
第１の発明に記載の放射性物質の貯蔵室において、
前記移動装置を、前記通路の床面に設置された少なくとも１対の第１レールと、前記第１レール上を水平移動すると共に、上面に前記第１レールとは垂直な１対の第２レールを有する第１台車と、前記第２レール上を水平移動すると共に、前記バスケットが載荷され、かつ、前記バスケットを鉛直方向に移動させるリフト機能を有する第２台車とで構成し、
前記貯蔵空間を、前記第１レールに沿って複数設けると共に、前記バスケットの前記被支持機能を支持する水平支持機能と、前記第２レールと同じ方向、同じ高さに設けられた一対の第３レールと、前記第３レールの外側に設けられ、前記バスケットの底部を前記第３レールより高い位置で支持する垂直支持機能とにより構成することにより、
前記リフト機能に載荷された前記バスケットは、前記第１台車が前記第１レール上を移動することで、所望の前記貯蔵空間の前面に水平移動され、前記第２台車が前記第２レール上、前記第３レール上を移動することで、所望の前記貯蔵空間に移動され、前記リフト機能が鉛直下方に移動することで、所望の前記貯蔵空間の前記水平支持機能及び前記垂直支持機能に支持されて、所望の前記貯蔵位置に固定されることを特徴とする。
【０００９】
上記課題を解決する第３の発明に係る放射性物質の貯蔵室は、
第１又は第２の発明に記載の放射性物質の貯蔵室において、
前記バスケットに、前記貯蔵空間への案内に用いられる被案内機能を設けると共に、
前記貯蔵空間に、前記バスケットの前記被案内機能を案内する案内機能を設けたことを特徴とする。
【００１０】
上記課題を解決する第４の発明に係る放射性物質の貯蔵室は、
第１乃至第３の発明のいずれかに記載の放射性物質の貯蔵室において、
前記バスケットは、複数の放射性物質を収納すると共に、相対する一方の外面に前記被案内機能を有し、相対する他方の外面に前記被支持機能を有するものであることを特徴とする。
【００１１】
上記課題を解決する第５の発明に係る放射性物質の貯蔵室は、
第１乃至第４の発明のいずれかに記載の放射性物質の貯蔵室において、
前記被支持機能及び前記水平支持機能を、挿入孔及びガイドピンからなる支持構造としたことを特徴とする。
【００１２】
上記課題を解決する第６の発明に係る放射性物質の貯蔵室は、
放射性物質を収容するバスケットと、
前記バスケットを上面に載荷する載荷台と、
複数の前記載荷台を、その上面で水平移動させる少なくとも１つのコンベアとを備え、
前記バスケットは、前記コンベア上で水平移動されると共に、貯蔵されることを特徴とする。
【００１３】
上記課題を解決する第７の発明に係る放射性物質の貯蔵室は、
第６の発明に記載の放射性物質の貯蔵室において、
前記バスケットは、水平方向に案内される複数の第１被案内機能を上部に有し、
前記載荷台は、所定長さを有する複数のストッパ機能と、水平方向に案内される複数の第２被案内機能とを有し、
前記コンベアに相対する天井部分に、前記コンベアの設置方向に沿って配設され、前記バスケットの前記複数の第１被案内機能を案内する第１案内機能と、
前記コンベアの近傍に、前記コンベアの設置方向に沿って配設され、前記載荷台の前記複数の第２被案内機能を案内する第２案内機能とを設け、
前記バスケットは、前記バスケットが前記第１案内機能に案内され、かつ、前記バスケットを載荷する前記載荷台が第２案内機能に案内されて、転倒することなく水平移動されると共に、隣り合うバスケットとの距離が、前記載荷台の前記ストッパ機能により所定間隔に保たれて、貯蔵されることを特徴とする。
【００１４】
上記課題を解決する第８の発明に係る放射性物質の貯蔵室は、
第６又は第７の発明に記載の放射性物質の貯蔵室において、
前記バスケットを、複数の放射性物質を収納する直方体状の箱型とし、
前記載荷台を、直方体形状としたことを特徴とする。
【００１５】
上記課題を解決する第９の発明に係る放射性物質の貯蔵室は、
第８の発明に記載の放射性物質の貯蔵室において、
前記第１被案内機能は、各外面の上方に垂直に立設された少なくとも２つの第１ガイドローラと、回転面が各外面に平行になるように、各外面の上方に設けられた少なくとも２つの第２ガイドローラとからなり、
前記第１案内機能は、前記第１ガイドローラが水平方向から接すると共に、前記第２ガイドローラが垂直方向から接する一対の第１案内レールからなることを特徴とする。
【００１６】
上記課題を解決する第１０の発明に係る放射性物質の貯蔵室は、
第８又は第９の発明に記載の放射性物質の貯蔵室において、
前記第２被案内機能は、各外面に垂直に立設された少なくとも２つの第３ガイドローラからなり、
前記第２案内機能は、前記第３ガイドローラが水平方向から接する一対の第２案内レールからなることを特徴とする。
【００１７】
上記課題を解決する第１１の発明に係る放射性物質の貯蔵室は、
第６乃至第１０の発明のいずれかに記載の放射性物質の貯蔵室において、
前記ストッパ機能を、各外面に垂直に立設された棒状部材としたことを特徴とする。
【００１８】
上記課題を解決する第１２の発明に係る放射性物質の貯蔵室は、
第６乃至第１１の発明のいずれかに記載の放射性物質の貯蔵室において、
前記コンベアを、ループ状又は直線状としたことを特徴とする。
【発明の効果】
【００１９】
本発明によれば、放射性物質の貯蔵室の必要空間をできるだけ小さくすることができ、その結果、放射性物質の貯蔵室の建屋を小さくして、建設コストを低減することができる。
【発明を実施するための最良の形態】
【００２０】
図１〜図１１を用いて、本発明に係る放射性物質（燃料集合体）の貯蔵室を詳細に説明する。なお、ここでは、放射性物質の一例として、燃料集合体を用いて説明を行う。
【００２１】
放射性物質の１つである燃料集合体は、ウラン燃料でもよいが、使用済みのウランから取り出されたプルトニウムを再生したＭＯＸ燃料（混合酸化物燃料、Mixed-Oxide）、或いは、放射性廃棄物でもよい。
【実施例１】
【００２２】
図１は、本発明に係る放射性物質（燃料集合体）の貯蔵室で用いるバスケットの一例を示す斜視図である。
図１に示すように、燃料集合体を収容するバスケット１は、底板を有する直方体形状の箱型の箱部材２からなり、ステンレス製の正方形断面の箱部材２が、２つの仕切板３により４分割されて、４つの正方形断面の収容部４が設けられたものである。この収容部４に燃料集合体を各々挿入し、収容することにより、燃料集合体の輸送を効率的且つ短時間で行なうことができる。又、輸送時、保管時において、バスケット１により燃料集合体を保護することもできる。これは、後述の図７に示すバスケット６１でも同様である。
【００２３】
バスケット１の一方側の相対する外面の中央部分には、バスケット１を水平移動する際に用いるＬ字断面のガイドバー５ａ、５ｂ（被案内機能）が互いに平行に設けられている。ガイドバー５ａ、５ｂは、バスケット１が後述の水平移動装置２１（移動台車２４）により水平移動される際に、ガイドバー５ａ、５ｂ間に位置するガイドレール２８、１６（案内機能）により、バスケット１を所定の位置（後述の貯蔵空間１５）に案内するためのものである。又、バスケット１の他方側の相対する外面の上方部分には、バスケット１を固定する際に用いる被支持部材６（被支持機能）が設けられており、被支持部材６に設けられた挿入孔６ａに、後述する支持部材１７（支持機能）のガイドピン１７ａを貫通して、バスケット１の水平位置を固定している。つまり、バスケット１は、挿入孔６ａ及びガイドピン１７ａのピン−孔支持構造により、水平位置が支持、固定されている。なお、被支持部材６、支持部材１７は、水平位置の支持機能を有するものであれば、ピン−孔支持構造に限らない。
【００２４】
なお、図１では、仕切板３を簡略して図示したが、仕切板３は、収容部４に収容される燃料集合体同士が所定間隔を保つように、適切な厚みや隙間を有するものである。又、箱部材２及び仕切板３の構成材料としては、ステンレス鋼だけでなく、中性子吸収用のボロン（Ｂ）を添加したステンレス鋼やその他の金属材料を用いてもよい。又、図１においては、ＰＷＲ（加圧水型軽水炉）用の燃料集合体を４体収容するバスケットを図示したが、ＢＷＲ（沸騰水型軽水炉）用の燃料集合体を収容するバスケットであってもよく、その場合、１つのバスケットに１６体の燃料集合体が収容される構成となる。これは、後述の図７に示すバスケット６１でも同様である。
【００２５】
次に、本発明に係る放射性物質（燃料集合体）の貯蔵室を図２〜図５を用いて説明する。ここで、図２は、本発明に係る放射性物質（燃料集合体）の貯蔵室の上面図であり、図３は、図２のＡ−Ａ線矢視図であり、図４は、図２、図３の詳細図であり、図５は、バスケット１の移動を説明する図である。
【００２６】
図２〜図４に示すように、本発明に係わる燃料集合体の貯蔵室１０は、その全体が所定厚さのコンクリート製の壁面１１に囲まれている。貯蔵室１０には、前述のバスケット１を搬入、搬出するための複数の搬出入口１２が設けられており、バスケット１を搬出入するときのみ、後述する搬出入扉１０ａ（図６参照）を開口するようになっている。
【００２７】
貯蔵室１０の内部は、分離壁１３により複数の空間に分離されており、各々の空間の通路１４の床面に、バスケット１を水平移動させる１対の長尺のＹ方向レール２０（第１レール）が敷設され、搬出入口１２を介して、貯蔵室１０の内外に移動可能である。そして、Ｙ方向レール２０の両側には、Ｙ方向レール２０に沿って、バスケット１を収納する貯蔵空間１５が複数配置されている。なお、分離壁１３は、支持機能を有するものであれば、分離構造および壁に限らず、貯蔵室１０の内部の空間は複数に限らない。また、貯蔵室１０の内部に敷設された複数のＹ方向レール２０は互いに無関係に設置するに限らない。すなわち、Ｙ方向レールが、それに略直交したＸ方向のレールの設置により、互いに連結されることがあり、そのＸ方向のレールは、貯蔵空間１５のない通路の奥と手前のいずれか又は両方と貯蔵空間１５の内部を貫通する位置のいずれか又は両方に設置されることがある。
【００２８】
貯蔵空間１５は、貯蔵空間１５の内壁面に設けられ、バスケット１のガイドバー５ａ、５ｂを案内して、バスケット１を貯蔵空間１５へ導くガイドレール１６（案内機能）と、貯蔵空間１５の内壁面に設けられたピン支持部材１７ｂとピン支持部材１７ｂ上に立設されたガイドピン１７ａとを有する支持部材１７（水平支持機能）とを備えており、ガイドピン１７ａを挿入孔６ａに挿入することで、バスケット１を貯蔵位置に支持、固定している。なお、ガイドレール１６の配置は、後述する水平移動装置２１側のガイドレール２８と同じ方向、同じ高さである。
【００２９】
なお、上記貯蔵空間１５は、燃料集合体の未臨界性を担保できる距離に、各々配置されている。従来の垂直装荷方式では、ピット蓋からの放射線漏れを少なくするために、この未臨界性担保距離よりも大きなピット間の距離が必要であったために、これと比較すると、上記貯蔵空間１５の未臨界性担保距離は短いものであり、これにより、単位面積あたりに配置できるバスケット１の数が多くなり、省スペースを図ることができる。
【００３０】
貯蔵空間１５の底部の両側端部には、所定の高さを有し、バスケット１の底部を支持する支持台１８（垂直支持機能）が設けられており、支持台１８の間の貯蔵空間１５の底部に、１対の短尺のＸ方向レール２７（第３レール）が設けられている。Ｘ方向レール２７の位置は、後述する水平移動装置２１側のＸ方向レール２６と同じ高さであるが、支持台１８の上面よりは低い位置に配置されている。
【００３１】
貯蔵空間１５の前面、つまり、貯蔵空間１５のＹ方向レール２０側には、複数の支柱１９が立設されており、支柱１９の上方には、Ｙ方向に延設された上部ガイドレール２９が相対するように設けられている。相対する上部ガイドレール２９は、支柱１９に垂直に、つまり、上部ガイドレール２９の頭部が水平方向に向くように配設されており、上部ガイドレール２９の頭部及び側部に、後述するガイドローラ３０、３１が接し、水平移動装置２１の移動を案内すると共に、水平移動装置２１が転倒しないように支持している。
【００３２】
Ｙ方向レール２０上には、バスケット１を水平移動させる水平移動装置２１（移動装置）が配置されている。そこで、本発明に係る放射性物質（燃料集合体）の貯蔵室で用いられる水平移動装置２１を図３、図４を用いて説明する。なお、図４（ａ）は、図４（ｂ）のＢ−Ｂ線矢視図に該当する。
【００３３】
図３、図４に示すように、水平移動装置２１は、Ｙ方向レール２０に跨って、Ｙ方向レール２０上を水平移動すると共に、上面にＹ方向レール２０とは垂直な１対の短尺のＸ方向レール２６（第２レール）を有する搬送台車２２（第１台車）と、Ｘ方向レール２６に跨って、Ｘ方向レール２６上を水平移動すると共に、その上面にバスケット１を載荷して、バスケット１を鉛直方向に移動させるリフタ２５（リフト機能）を有する移動台車２４（第２台車）とを備えている。
【００３４】
更に、水平移動装置２１は、搬送台車２２上に設けられ、バスケット１、移動台車２４及びリフタ２５を含めて、水平移動可能に収容する支持格子部材２３と、支持格子部材２３に設けられ、貯蔵空間１５側のガイドレール１６と同じ方向、同じ高さに配置されたガイドレール２８と、支持格子部材２３の上端部に、各面２個ずつ設けられ、上部ガイドレール２９の頭部に接するガイドロール３０と、同じく、支持格子部材２３の上端部に、支持具３１ａを介して各面２個ずつ設けられ、上部ガイドレール２９の側部に垂直下方側から接するガイドロール３１とを有するものである。
【００３５】
搬送台車２２側のＸ方向レール２６は、貯蔵空間１５側のＸ方向レール２７と同じ高さに配置されているが、Ｘ方向レール２６とＸ方向レール２７との間には、移動台車２４のＸ方向移動（Ｘ方向レール２６←→Ｘ方向レール２７）を妨げない程度の間隙が設けられており、搬送台車２２のＹ方向移動を妨げることはない。又、搬送台車２２側のガイドレール２８も、貯蔵空間１５側のガイドレール１６と同じ高さに配置されているが、ガイドレール１６とガイドレール２８との間には、バスケット１のガイドバー５ａ、５ｂのＸ方向移動（ガイドレール１６←→ガイドレール２８）を案内できる程度の間隙が設けられており、上記と同様に、搬送台車２２のＹ方向移動を妨げることはない。
【００３６】
次に、図５を用いて、バスケット１の貯蔵空間１５への設置方法を説明する。ここで、図５（ａ）は、バスケットを載荷した状態で水平移動装置２１の搬送台車２２がレール２０上を水平移動する状態を示し、図５（ｂ）は、バスケットを載荷した状態で移動台車２４が水平移動装置２１のＸ方向レール２６から貯蔵空間１５のＸ方向レール２７へ水平移動した状態を示し、図５（ｃ）は、バスケットを載荷した移動台車２４において、リフタ２５が鉛直下方に移動し、貯蔵空間１５の支持台１８上にバスケット１を設置した状態を示すものである。
【００３７】
所望の貯蔵空間１５へバスケット１を収納する場合、最初に、バスケット１を載荷した水平移動装置２１の搬送台車２２が所望の貯蔵空間１５の前面まで水平移動する（図５（ａ）参照）。このとき、リフタ２５はバスケット１をリフトアップした状態である。次に、所望の貯蔵空間１５の前面まで水平移動した後、水平移動装置２１の移動台車２４がバスケット１を載荷した状態で、Ｘ方向レール２６、そして、Ｘ方向レール２７上を水平移動して、所望の貯蔵空間１５の位置へ水平移動する。このときも、リフタ２５はバスケット１をリフトアップした状態であり（図４（ｂ）の符号１ａ、２５ａ及び図５（ｂ）参照）、移動台車２４、リフタ２５は、Ｘ方向レール２７の外側に設けられた２つの支持台１８が形成する空間部分を水平移動することになる。最後に、リフタ２５がバスケット１をリフトダウンして（図４（ｂ）の符号１ｂ、２５ｂ及び図５（ｃ）参照）、Ｘ方向レール２７の位置より高い支持台１８の凹部にバスケット１を載荷して、所望の貯蔵空間１５へのバスケット１の収納が完了する。このとき、被支持部材６は貯蔵空間１５側の支持部材１７に支持されて、その位置に固定されることになる。なお、バスケット１を貯蔵空間１５から取り出す場合には、上記手順とは逆の手順を行う。
【００３８】
上述したように、本実施例では、バスケット１を水平移動装置２１で水平移動して、貯蔵空間１５にバスケット１を貯蔵するので、従来の垂直貯蔵方式のように、バスケット１を高さ方向に移動する必要はなく、高さ方向の省スペースを図ることができる。
【００３９】
図６は、本発明に係る放射性物質（燃料集合体）の貯蔵室を含め、その周囲の施設を示した図である。
上述したように、燃料集合体を複数収容するバスケット１は、水平移動装置２１を用いて、貯蔵室１０内を水平移動されると共に、貯蔵室１０への搬入、貯蔵室１０からの搬出を行う際にも、搬出入扉１０ａを開き、水平移動装置２１を用いて水平移動される。貯蔵室１０の室外に搬出されたバスケット１は、出荷検査された後、天井クレーン４３により持ち上げられて、梱包室４０の蓋取付装置４２上に設置されたキャスク４１の内部に、バスケット１ごと挿入される。このように、燃料集合体を収容するバスケット１は、燃料集合体の移動用、貯蔵用に用いられ、更に、キャスク４１と共に、輸送用にも使用可能なものである。なお、キャスク４１には、バスケット１を垂直方向から装荷するが、燃料集合体をバスケット１の内部に収容しているので、キャスク４１にバスケット１を水平方向から装荷することも可能である。
【００４０】
キャスク４１の内部に複数のバスケット１を挿入した後、キャスク４１には蓋が取り付けられ、再び天井クレーン４３に持ち上げられて、キャスク操作室５０へ移動され、キャスク横転装置５１上に設置される（図中符号５１ａ）。キャスク横転装置５１上に立設されたキャスク４１は、キャスク横転装置５１により横転されて（図中符号５１ｂ）、出荷されるまで水平状態で一時的に保管される。
【実施例２】
【００４１】
図７は、本発明に係る放射性物質（燃料集合体）の貯蔵室で用いるバスケットの他の一例を示す斜視図である。
図７に示すように、燃料集合体を収容するバスケット６１は、底板を有する直方体形状の箱型の箱部材６２からなり、ステンレス製の正方形断面の箱部材６２が、２つの仕切板６３により４分割されて、４つの正方形断面の収容部６４が設けられており、この収容部６４に燃料集合体が各々挿入されるものである。
【００４２】
バスケット１の各外面の上端部には、ローラを有するガイドローラ６５（第１ガイドローラ）が垂直に複数立設されている。さらに、ガイドローラ６５の下方には、支持具６６ａが各外面に垂直に立設されており、ローラの回転面が各外面と平行になるように、ガイドローラ６６（第２ガイドローラ）が支持具６６ａに垂直に設けられている。上記ガイドローラ６５、６６（第１被案内機能）の構成は、ガイドローラ６５がガイドレール８５（第１案内機能、第１案内レール）の頭部と水平方向に接することで、バスケット１の水平移動を案内すると共にバスケット１の外面に垂直な方向の転倒を防止するものであり、ガイドローラ６６が同じガイドレール８５の側部に垂直下方側から接することで、バスケット１の水平移動を案内すると共にバスケット１の外面に平行な方向の転倒を防止するものである。転倒を効果的に防止するには、ガイドローラ６５、６６は、各外面に少なくとも２つ設けることが望ましい。
【００４３】
次に、本発明に係る放射性物質（燃料集合体）の貯蔵室の他の一例を、図８〜図１０を用いて説明する。ここで、図８は、本発明に係る放射性物質（燃料集合体）の貯蔵室の上面図であり、図９は、図８のＣ−Ｃ線矢視図であり、図１０は、図８、図９の詳細図である。
【００４４】
図８、図９に示すように、本発明に係る放射性物質（燃料集合体）の貯蔵室７０は、その全体が所定厚さのコンクリート製の壁面７１に囲まれている。貯蔵室７０には、前述のバスケット６１を搬入、搬出するための搬出入口７２が設けられており、バスケット６１を搬出入するときのみ、後述する搬出入扉７０ａ（図１１参照）を開口するようになっている。
【００４５】
貯蔵室７０の内部は、複数のコンベア８０によりループ状の複数の貯蔵空間７３が形成されたものであり、貯蔵空間７３の周囲が分離壁７４に囲まれている。コンベア８０は、バスケット６１を水平移動する通路となると共にバスケット６１を保管する貯蔵空間にもなるものである。コンベア８０をループ状とすることにより、収納したバスケット６１を先入れ−先出し方式で、搬入、搬出することができる。なお、搬入と搬出は異なるコンベア８０にしてもよい。又、先入れ−先出し方式に限定しないのであれば、コンベア８０をループ状にすることは無く、例えば、複数のコンベアを直線状に配置して、先入れ−後出し方式で搬入出するようにしてもよく、搬入と搬出は異なるコンベア８０にしてもよい。又、分離壁７４は、支持機能を有するものであれば、分離構造及び壁に限らない。
【００４６】
図７に示したバスケット６１は、コンベア８０上に複数設置された直方体形状の載荷台８１の上に載荷されて、コンベア８０上を水平移動される。コンベア８０の近傍には、コンベア８０の設置方向に沿って１対のガイドレール８３（第２案内機能、第２案内レール）が、コンベア８０を挟んで設けられており、載荷台８１の各外面に垂直に立設された複数のガイドローラ８２（第２被案内機能、第３ガイドローラ）は、ガイドレール８３に水平方向に接して、ガイドレール８３に沿う水平方向に案内される。又、載荷台８１の各外面には、所定長さを有する複数の棒状部材からなるストッパ８４（ストッパ機能）が垂直に立設されており、隣り合う載荷台８１同士、即ち、隣り合うバスケット６１同士が、燃料集合体の未臨界性を担保できる距離を維持するようにしている。従来の垂直装荷方式におけるピット間の距離と比較すると、この未臨界性担保距離は短いものであり、これにより、単位面積あたりに配置できるバスケット６１の数が多くなり、省スペースを図ることができる。
【００４７】
又、コンベア８０に相対する貯蔵空間７３の天井部分にも、コンベア８０の設置方向に沿って、天井部材８６を介して、１対のガイドレール８５（第１案内機能、第１ガイドレール）が設けられている。１対のガイドレール８５は、バスケット６１を挟んで、その頭部が水平方向に向けられて、配置されており、バスケット６１の上部に設けたガイドローラ６５がガイドレール８５の頭部に水平方向から接して、バスケット６１の水平移動を案内している。又、バスケット６１の上部に設けたガイドローラ６６は、ガイドレール８５の側部に垂直下方側から接して、バスケット６１の水平移動を案内している。このように、バスケット６１の各外面に、少なくとも２つの水平方向のガイドローラ６５と、少なくとも２つの垂直方向のガイドローラ６６とを設けることで、ガイドレール８５を利用して、バスケット６１の水平移動の案内を行うと共に、バスケット６１の転倒を防止している。
【００４８】
上述したように、本実施例では、バスケット６１をガイドレール８５により案内し、かつ、バスケット６１を載荷する載荷台８１をガイドレール８３により案内して、コンベア８０がバスケット６１を転倒させることなく水平移動させることができる。更に、隣り合うバスケット６１との距離が、載荷台８１のストッパ８４により所定間隔に保たれて、通路であるコンベア８０上に貯蔵されるので、従来の垂直貯蔵方式のように、バスケット６１を高さ方向に移動する必要はなく、高さ方向、水平方向の省スペースを図ることができる。
【００４９】
図１１は、本発明に係る放射性物質（燃料集合体）の貯蔵室を含め、その周囲の施設を示した図である。
上述したように、燃料集合体を複数収容するバスケット６１は、コンベア８０、載荷台８１を用いて、貯蔵室７０内を水平移動されると共に、貯蔵室７０への搬入、貯蔵室７０からの搬出を行う際にも、搬出入扉７０ａを開き、コンベア８０、載荷台８１を用いて水平移動される。貯蔵室７０の室外に搬出されたバスケット６１は、出荷検査された後、天井クレーン９３により持ち上げられて、梱包室９０の蓋取付装置９２上に設置されたキャスク９１の内部に、バスケット６１ごと挿入される。このように、燃料集合体を収容するバスケット６１は、燃料集合体の移動用、貯蔵用に用いられ、更に、キャスク９１と共に、輸送用にも使用可能なものである。
【００５０】
キャスク９１の内部に複数のバスケット６１を挿入した後、キャスク９１には蓋が取り付けられ、再び天井クレーン９３に持ち上げられて、キャスク操作室１００へ移動され、キャスク横転装置１０１上に設置される（図中１０１ａ）。キャスク横転装置１０１上に立設されたキャスク９１は、キャスク横転装置１０１により横転されて（図中１０１ｂ）、出荷されるまで水平状態で一時的に保管される。
【産業上の利用可能性】
【００５１】
本発明に係る放射性物質の貯蔵室においては、放射性物質として、ウラン燃料、ＭＯＸ燃料、放射性廃棄物等が好適である。
【図面の簡単な説明】
【００５２】
【図１】本発明に係る放射性物質の貯蔵室で用いるバスケットを示す斜視図である。
【図２】本発明に係る放射性物質の貯蔵室の上面図である。
【図３】図２のＡ−Ａ線矢視図である。
【図４】本発明に係る放射性物質の貯蔵室を詳細に示す図であり、（ａ）は上面図、（ｂ）は側面図である。
【図５】本発明に係る放射性物質の貯蔵室で用いられる台車の動作を説明する図である。
【図６】本発明に係る放射性物質の貯蔵室を含め、その周囲の施設を示した図である。
【図７】本発明に係る放射性物質の貯蔵室で用いるバスケットの他の一例を示す斜視図である。
【図８】本発明に係る放射性物質の貯蔵室の他の一例を示す上面図である。
【図９】図８のＣ−Ｃ線矢視図である。
【図１０】本発明に係る放射性物質の貯蔵室を詳細に示す図であり、（ａ）は上面図、（ｂ）は側面図である。
【図１１】本発明に係る放射性物質の貯蔵室を含め、その周囲の施設を示した図である。
【符号の説明】
【００５３】
１    バスケット
５ａ、５ｂ  ガイドバー
６    被支持部材
１０  貯蔵室
１４  通路
１５  貯蔵空間
１６  ガイドレール
１７  支持部材
２０  Ｙ方向レール
２２  搬送台車
２４  移動台車
２５  リフト
２６  Ｘ方向レール
２７  Ｘ方向レール
６１  バスケット
６５  ガイドローラ
６６  ガイドローラ
７０  貯蔵室
７３  貯蔵空間
８０  コンベア
８１  載荷台
【図１】
2006220484.tif 000003
【図２】
2006220484.tif 000004
【図３】
2006220484.tif 000005
【図４】
2006220484.tif 000006
【図５】
2006220484.tif 000007
【図６】
2006220484.tif 000008
【図７】
2006220484.tif 000009
【図８】
2006220484.tif 000010
【図９】
2006220484.tif 000011
【図１０】
2006220484.tif 000012
【図１１】
2006220484.tif 000013